(57)【要約】      （修正有）【課題】ストロー孔を容易に且つ少ない力でストローで開けることができ、スロトー孔の破断片が容器内に落下することない液体食品容器用のストローを提供する。【解決手段】容器のストロー孔に突き刺して使用する飲料用ストロー１であって、ストローの先端７には、ストロー孔に破断開始点を形成する破断手段と、ストローの飲み口側には、把持してストローを回転するための回転補助部１２とが形成され、回転補助部１２のストロー１回転に伴ってストロー先端７からストロー外周に延びる溝及び／又は突条１４が形成されている。【選択図】図１
2011019851.tif 000002
【特許請求の範囲】
【請求項１】
容器のストロー孔に突き刺して使用する飲料用ストローであって、
該ストローの先端には、ストロー孔に破断開始点を形成する破断手段と、
該ストローの飲み口側には、把持してストローを回転するための回転補助部とが形成され、
該回転補助部のストロー回転に伴って該ストロー先端から該ストロー外周に延びる溝及び／又は突条が形成されている
ことを特徴とする液体食品容器用のストロー。
【請求項２】
該溝及び／又は突条が該ストロー外周にらせん状に形成されている、請求項１に記載の液体食品容器用のストロー。
【請求項３】
該溝及び／又は突条が、該ストロー先端から該ストロー外周に斜線状に延びる、請求項１又は２に記載の液体食品容器用のストロー。
【請求項４】
該回転補助部が、該ストローの飲み口側に形成された太溝又は／及び突起である、請求項１又は２に記載の液体食品容器用のストロー。
【発明の詳細な説明】
【技術分野】
【０００１】
この発明は、飲料などを飲用する液体食品容器用のストローに関する。
【背景技術】
【０００２】
従来、飲用液体容器用のストローでは、ストローを容器の頂面に形成されたストロー孔に突き刺すことによって、使用者がストロー上端から吸って、牛乳やジュース等の液体飲料、流動食、シロップ、醤油、食用油、液体薬などの内容液を飲用することができる。
図３に従来例を示すように、ストロー１を容器２の頂面３に形成されたストロー孔10に突き刺すことによって、使用者がストロー上端４から吸って、内容液を飲用することができる。
【０００３】
ストロー１には、図４及び図5に示すように、ストロー１の外管５と内管６とが伸縮自在に篏合した２本のテレスコストロー、及び１本のストローがある。
ストロー先端７は斜めに切断されてストロー孔に突き刺し易く尖っている。また、ストロー上端４側には、必要に応じて、図示するように、溝９や突起８が形成される。溝７によって、飲用吸引時の空気通路を形成してズルズルといった異音発生を防止する。また、突起８によって、スロトー１が容器内に落下することができる。
牛乳やジュース等の液体飲料が充填密封された液体食品容器に、飲用ストロー包装体としてその容器の側面に仮接着されている。
【先行技術文献】
【特許文献】
【０００４】
【特許文献１】特許第１９２３４５１号公報
【特許文献２】特許第３２５００９９号公報
【発明の概要】
【発明が解決しようとする課題】
【０００５】
ストロー孔を尖ったストロー先端で開けても、更に突き刺して広げるにはなお多少の力が必要である。高齢者や幼児では難しい場合がある。また、ストロー先端をそのまま下に押すために、スロトー孔の破断片が容器内に落下する恐れもある。
【０００６】
本発明は、ストロー孔を容易に且つ少ない力でストローで開けることができ、スロトー孔の破断片が容器内に落下することない液体食品容器用ストローを提供することを目的とする。
【課題を解決するための手段】
【０００７】
この発明の液体食品容器用のストローは、容器のストロー孔に突き刺して使用する飲料用ストローであって、
ストローの先端には、ストロー孔に破断開始点を形成する破断手段と、ストローの飲み口側には、把持してストローを回転するための回転補助部とが形成され、
回転補助部のストロー回転に伴ってストロー先端からストロー外周に延びる溝及び／又は突条が形成されている
ことを特徴とする。
【０００８】
この発明の好ましい態様において、溝及び／又は突条がストロー外周にらせん状に形成されている。
【０００９】
この発明の好ましい態様において、溝及び／又は突条が、ストロー先端からストロー外周に斜線状に延びる。
【００１０】
この発明の好ましい態様において、回転補助部が、ストローの飲み口側に形成された太溝又は／及び突起である。
【発明の効果】
【００１１】
以上の本発明によれば、以下の作用機能を発揮し、有利な効果が得られる。
この発明における飲料用ストローは、液体食品容器のストロー孔に突き刺して使用する。通常、ストロー孔は、易破断性のポリエチレン膜又はアルミ箔とプラスチックとの積層膜からなる。この飲料用ストローは、この膜を破断して開封し、使用される。
【００１２】
この発明におけるストローの先端には、ストロー孔に破断開始点を形成する破断手段を有する。破断手段は、先端をストロー孔のポリエチレン膜などに押付けることによって、ストロー孔に破断開始点を形成する。破断手段の例としては、ストロー管の斜め切断面、先端に設けた刃、突起などがある。
【００１３】
この発明におけるストローの飲み口側には、回転補助部が設けられ、使用時に、消費者が、回転補助部を指で把持し、ストローを回転することができる。
通常、ストローを使用する場合、単に、そのままストローを容器内に押し込むだけであるが、この発明において、消費者が、回転補助部を指で把持し、ストローを回転する。
【００１４】
この発明の特徴において、回転補助部のストロー回転に伴ってストロー先端からストロー外周に延びる溝及び／又は突条が形成されている。
回転補助部によって、ストローが回転する際に、ストロー先端からストロー外周に延びる溝及び／又は突条に沿ってストローが回転する。ストロー外周がストロー孔の破断面と接触しながらストローが押し込まれていくが、溝及び／又は突条があるために接触面が減少して接触摩擦が大幅に低減する。また、溝及び／又は突条がストロー外周にらせん状に形成されている態様では、ネジのように、少ない力で押し込むことができるようになる。
【００１５】
溝及び／又は突条が、ストロー先端からストロー外周に斜線状に延びる態様では、最初はネジの様に、次いでより直線的に突き刺すことができる。
また、回転補助部が、ストローの飲み口側に形成された太溝又は／及び突起である態様では、消費者の指が容易にストロー外周に引っ掛かり回転がより容易になる。また、その太溝又は／及び突起がストロー穴付近で留まった場合には、飲用吸引時の空気穴となって異音発生を防止くることもできる。
【図面の簡単な説明】
【００１６】
【図１】この発明によるストロー例の外観図である。
【図２】この発明によるストローの先端例の外観図及び回転補助部例の断面図である。
【図３】従来のストローを容器に使用する状態を示す外観図である。
【図４】従来の伸縮ストローを示す外観図である。
【図５】従来の一本ストローを示す外観図である。
【発明を実施するための形態】
【００１７】
以下、本発明の実施の形態について図面を参照しながら詳細に説明する。
この実施形態によるストロー例を図１に示す。
この実施例における飲料用ストロー１は、液体食品容器のストロー孔に突き刺して使用する。ストロー孔は易破断性のポリエチレン膜又はアルミ箔の積層膜からなる。この飲料用ストローは、この膜を破断して開封し、使用される。
【００１８】
この実施例におけるストローの先端７には、ストロー孔に破断開始点を形成する破断手段１５を有する。破断手段は、先端をストロー孔のポリエチレン膜などに押付けることによって、ストロー孔に破断開始点を形成する。この実施例では、ストロー管の斜め切断面がある。
【００１９】
この実施例におけるストローの飲み口側４には、回転補助部１２が設けられ、使用時に、消費者が、回転補助部１２を指で把持し、ストロー１を回転する。この実施例において、消費者が、太溝１２ａを指で把持し、ストロー１を回転する。
【００２０】
この実施例において、回転補助部１２ａのストロー回転に伴ってストロー先端７からストロー外周に延びる複数の細溝１４が形成されている。
太溝１２ａによって、ストロー１が回転する際に、ストロー先端７からストロー外周に延びる細溝１４に沿ってストロー１が回転する。ストロー外周がストロー孔の破断面と接触しながらストロー１が押し込まれていくが、細溝１４があるために接触面が減少して接触摩擦が大幅に低減する。また、細溝１４がストロー外周にらせん状に形成されているので、ネジのように、少ない力で押し込むことができる。
【００２１】
図２に、ストローの先端例及び回転補助部例をいくつか示す。
図２（Ａ）に示す態様では、ストローの先端は、ストロー管の斜め切断面７である。また、細い溝１４が、ストロー先端７からストロー外周に斜線状に延びる。この態様では、最初はネジの様に、次いでより直線的に突き刺すことができる。
図２（Ｂ）に示す態様では、ストローの先端は、ストロー管の斜め切断面７である。また、ネジ溝１４ａ及びネジ山１４ｂが、ストロー先端７かららせん状に形成されている。
同様に、図２（Ｃ）に示す態様では、ストローの先端は、ストロー管の斜め切断面７である。また、ネジ溝１４ａ及びネジ山１４ｂが、ストロー先端７かららせん状に形成されている。
図２（Ｄ）に示す態様では、ストローの先端は、ストロー先端に設けられた刃７である。また、細い溝１４が、ストロー先端７からストロー外周に斜線状に延びる。
【００２２】
図２（Ｅ）〜（Ｈ）に回転補助部例をいくつか示す。
回転補助部が、ストローの飲み口側に形成された太溝又は／及び突起である。
図２（Ｅ）に示す態様では、２本の太溝１２ａが対向して設けられる。
図２（ｆ）に示す態様では、太溝１２ａと突起１２ｂとが対向して設けられる。
図２（Ｇ）に示す態様では、１個の突起１２ｂが設けられる。
図２（Ｈ）に示す態様では、２個の突起１２ｂが対向して設けられる。
上記の態様では、消費者の指が容易にストロー外周に引っ掛かり回転がより容易になる。また、その太溝又は／及び突起がストロー穴付近で留まった場合には、飲用吸引時の空気穴となって異音発生を防止くることもできる。
【００２３】
なお、本発明は該実施の形態に限定されるものではなく、本発明の趣旨に基づいて種々変形させることが可能であり、それらを本発明の範囲から排除するものではない。
【産業上の利用可能性】
【００２４】
この発明は、液体食品容器用の飲用ストローに適用することができる。
【符号の説明】
【００２５】
１・・・  ストロー
２・・・  容器
３・・・  頂部
４・・・  飲み口
５・・・  外管
６・・・  内管
７・・・  先端
１２・・・  回転補助部
１４・・・  溝又は突起
【図１】
2011019851.tif 000003
【図２】
2011019851.tif 000004
【図３】
2011019851.tif 000005
【図４】
2011019851.tif 000006
【図５】
2011019851.tif 000007